(57)【要約】      （修正有）【課題】二つの振動トラフが背中合わせに配置されたものであっても、一方の振動が他方に影響を及ぼさない新たな振動コンベヤと、その振動コンベヤを搭載した組合せ計量装置を提供する。【解決手段】個別に物品を搬送する二つの振動トラフが背中合わせに配置された振動コンベヤＶＣであって、各振動トラフの背中合わせに向き合う両側壁６の隙間に遮蔽壁３０を設けたものである。この遮蔽壁３０としては、面密度の高い金属材で構成され、これにより、背中合わせの両側壁６間の振動伝達を抑制することができる。【選択図】図１
0003209972.tif 000002
【実用新案登録請求の範囲】
【請求項１】
個別に物品を搬送する二つの振動トラフが背中合わせに配置された振動コンベヤであって、各振動トラフの背中合わせに向き合う両側壁の隙間に風圧の伝搬を遮蔽する遮蔽壁を設けたことを特徴とする振動コンベヤ。
【請求項２】
前記二つの振動トラフは、面対称に配置されているとともに、背中合わせに向き合う両側壁が、前記遮蔽壁に接触しない間隙を残して近接していることを特徴とする請求項１に記載の振動コンベヤ。
【請求項３】
前記二つの振動トラフの上方において、各振動トラフに向けて個別に開閉する一対の開閉ゲートと、前記一対の開閉ゲートの先端部が閉じる直下に、前記側壁間に跨って、上方から落下する物品を前記二つの振動トラフに振り分ける振分板とを備えた振分ホッパが前記各振動トラフと非接触に配置されている請求項４に記載の振動コンベヤ。
【請求項４】
請求項１〜３の何れかに記載の振動コンベヤが、物品を搬送する振動トラフと、該振動トラフが着脱可能に取り付けられる可動ブロックと、該可動ブロックを搖動可能に支持する前後一対の板バネと、該板バネの固定端部が取り付けられるカウンターウエイトと、前記板バネに抗して前記可動ブロックを吸引離反させる電磁石とを備えたものが、二組、面対称に配置されたものである振動コンベヤ。
【請求項５】
装置上部の分散部に供給された物品を該分散部で複数の経路に分散させた後、各経路に配置された計量部でもって物品の質量を計量し、得られた各物品の計量値を組合せて最適組合せの物品を求めて集合シュートに排出する組合せ計量装置が二台、それらの本体を結合させた状態で横並びに配置され、前記二つの分散部間には、請求項１〜４の何れかに記載の振動コンベヤが配置されていることを特徴とする組合せ計量装置。
【考案の詳細な説明】
【技術分野】
【０００１】
本考案は、物品を搬送する振動コンベヤと、それを搭載した組合せ計量装置に関する。
【背景技術】
【０００２】
組合せ計量装置には、種々のタイプのものがある。その中でも下記特許文献に記載の装置では、組合せ計量装置を二台横並び配置するとともに、それらの本体を結合させて一体化させている。
【０００３】
こうしたタイプの装置では、結合された左右の装置は、それぞれ独立して運転することができるため、各装置の分散部上方には、それぞれに物品を供給するための振動コンベヤが設けられている。そして、各装置で同じ物品を計量するときは、各振動コンベヤの振動トラフを背中合わせに配置し、その境界の上方に振分ホッパを配置して、振分ホッパから各振動コンベヤへ物品を投入するようにしている。
【先行技術文献】
【特許文献】
【０００４】
【特許文献１】特開２０１２―１４１２９４号公報
【特許文献２】特開２０１４−１０５９９４号公報
【考案の概要】
【考案が解決しようとする課題】
【０００５】
こうした振動コンベヤは、防振スプリングを介して設置されているため、その設置面を介して一方の振動コンベヤの振動が他方に伝わることは殆どない。しかし、二つの振動トラフが背中合わせに配置されると、背中合わせに向き合った一方の側壁の振動が風圧を介して他方の振動トラフに伝わり、停止中の他方の振動トラフから物品が排出されてしまう問題がある。
【０００６】
本考案は、この問題を解決せんとするもので、二つの振動トラフが背中合わせに配置されたものであっても、一方の振動が他方に影響を及ぼさない新たな振動コンベヤと、その振動コンベヤを搭載した組合せ計量装置を提供することを課題とする。
【課題を解決するための手段】
【０００７】
本考案に係る振動コンベヤは、個別に物品を搬送する二つの振動トラフが背中合わせに配置された振動コンベヤであって、各振動トラフの背中合わせに向き合う両側壁の隙間に風圧の伝搬を遮蔽する遮蔽壁を設けたことを特徴とする。
【０００８】
遮蔽壁は、例えば、面密度の高い金属製の板材で構成し、これを両側壁の隙間に側壁と接触しないように固定する。これにより、一方の振動トラフの振動による風圧が他方の振動トラフに伝達されるのを抑えることができる。
【０００９】
これら二つの振動トラフは、面対称に配置されているとともに、背中合わせに向き合う各側壁が、遮蔽壁に接触しない間隙を残して近接していることを特徴とする。
これにより、一つの振分ホッパから二つの振動トラフに物品を振り分ける場合に、各振動トラフを可及的に近接させることができる。
【００１０】
また、前記二つの振動トラフの上方において、各振動トラフに向けて個別に開閉する一対の開閉ゲートと、前記一対の開閉ゲートの先端部が閉じる直下に、前記側壁間に跨って上方から落下する物品を前記二つの振動トラフに振り分ける振分板とを備えた振分ホッパが前記各振動トラフと非接触に配置されていることを特徴とする。
【００１１】
この場合の振分板は、遮蔽壁の直上に配置されるので、遮蔽壁と振分板とを結合しても良いし、分離してあっても良い。
これにより、背中合わせに向き合う側壁間に物品を落下させずに、一つの振分ホッパから二つの振動トラフに物品を個別に供給することができる。
【００１２】
また、振動コンベヤは、物品を搬送する振動トラフと、該振動トラフが着脱可能に取り付けられる可動ブロックと、該可動ブロックを搖動可能に支持する前後一対の板バネと、該板バネの固定端部が取り付けられるカウンターウエイトと、前記板バネに抗して前記可動ブロックを吸引離反させる電磁石とを備えたものが、二組、面対称に配置されたものである。
【００１３】
この振動コンベヤの振動は、物品を搬送面に対して所定角度の方向にジャンプさせる振動である。しかし、本発明で使用する振動コンベヤは、それに限定されるものではなく、例えば、各振動トラフを直線往復運動機構に連結して、トラフ上の物品に滑り運動を与えながら搬送するものでも良い。
【００１４】
本発明に係る組合せ計量装置は、装置上部の分散部に供給された物品を該分散部で複数の経路に分散させた後、各経路に配置された計量部でもって物品の質量を計量し、得られた各物品の計量値を組合せて最適組合せの物品を求めて集合シュートに排出する組合せ計量装置が二台、それらの本体を結合させた状態で横並びに配置され、前記二つの分散部間には、前記振動コンベヤが配置されていることを特徴とする。  
これにより、同じ物品を二台の組合せ計量装置に供給するときに、前記振動コンベヤでもって、各組合せ計量装置に個別に物品を供給することができる。
【考案の効果】
【００１５】
本考案によれば、背中合わせに配置された二つの振動トラフ間の風圧による振動伝達を抑えることができるから、他方の振動の影響を受けずに、それぞれの振動トラフで個別に物品を供給制御することができる。
また、この振動コンベアを二台の組合せ計量装置の分散部間に配置して、一つの振分ホッパから二つの組合せ計量装置に物品を個別に供給する場合に、他方の振動の影響を受けずに、それぞれの分散部に対する物品供給制御を行うことができる。
【図面の簡単な説明】
【００１６】
【図１】本考案に係る組合せ計量装置の一実施形態の外観斜視図。
【図２】図１の振動コンベヤの要部側面図。
【図３】図２の二つの振動トラフの上方に振分ホッパを配置した一部断面側面図
【考案を実施するための形態】
【００１７】
以下、図面を参照しながら、本考案の一実施形態を説明する。なお、以下に示す実施形態は、本考案の技術的範囲を限定するものではない。
【００１８】
図１は、本考案に係る組合せ計量装置の一実施形態の外観斜視図である。この図において、組合せ計量装置Ｗは、横並びに配列された左右の組合せ計量装置Ｗ１、Ｗ２の本体部分Ｆを一体化したものである。また、本体部分Ｆの中央上部には、それぞれの組合せ計量装置Ｗ１，Ｗ２に物品を供給するための振動コンベヤＶＣが配置されている。
【００１９】
各組合せ計量装置Ｗ１，Ｗ２は、振動コンベヤＶＣから排出された物品を受け取って複数の経路（放射フィーダＲＦ）に分散させる分散部ＤＵと、各経路の下部に配置されて、分散部ＤＵから排出された物品を受け取って計量する計量部ＷＵと、該計量部ＷＵで得られた各物品の計量値を組合せて最適組合せの物品を求めて集合シュートＣＳに排出させる図示しない制御部とを備えている。
【００２０】
分散部ＤＵは、中央上部の分散フィーダＤＦと、その周囲に放射状に配列された複数の放射フィーダＲＦとを備える。分散フィーダＤＦは、円錐状の分散テーブルＤＴと、そのテーブルＤＴを上下に螺旋状に往復運動させる図示しない電磁バイブレータとを備えたもので、そのテーブルＤＴ上に物品が投入されると、該テーブルＤＴの螺旋状往復運動により、そこに投入された物品を周囲の放射フィーダＲＦへと分散させていく。また、分散テーブルＤＴの振動コンベヤＶＣ側の周縁には、仕切り壁ＰＴが設けられている。この仕切り壁ＰＴにより、放射フィーダＲＦが配列されていない側への物品の排出が阻止されるようになっている。
【００２１】
放射フィーダＲＦは、分散テーブルＤＴから送られてきた物品を計量部ＷＵへ搬送するもので、平面視扇状の放射トラフＲＴと、その放射トラフＲＴを振動させる図示しない電磁バイブレータとで構成されている。また、隣接する各放射トラフＲＴは、一方の側壁が他方の放射トラフＲＴの側壁に非接触でオーバーラップすることにより、各放射トラフＲＴが連鎖状に繋がった状態となっている。これにより、これらの放射トラフＲＴが一つの受け皿となって分散テーブルＤＴから排出される物品を蓄えるようになっている。
【００２２】
計量部ＷＵは、上段のプールホッパＰＨと、中段の計量ホッパＷＨと、下段のブースタホッパＢＨとを、各放射フィーダＲＦに対応させて半円状に配列したものである。プールホッパＰＨは、放射フィーダＲＦから排出された物品を一時的に蓄え、下段の計量ホッパＷＨが空になれば、蓄えた物品を計量ホッパＷＨへ排出する。計量ホッパＷＨは、本体部分Ｆ内に組み込まれた荷重センサに支持されて、計量ホッパＷＨ内に投入された物品の質量を計量する。荷重センサの出力（計量値）は、図示しない制御部に入力される。ブースタホッパＢＨは、計量済の物品を一時的に蓄え、制御部の組合せ演算によって最適組合せに選ばれると、蓄えた計量済の物品を集合シュートＣＳへ排出する。
【００２３】
計量ホッパＷＨは、下段のブースタホッパＢＨが空になれば、計量済の物品をブースタホッパＢＨへ排出する。その際の物品の質量は、対応するブースタホッパＢＨに紐づけされて制御部内に記憶される。
【００２４】
制御部は、マイクロコンピュータで構成され、計量ホッパＷＨに収納されている物品の計量値とブースタホッパＢＨに収納されている物品の計量値とを組合せて最適組合せを求める。最適組合せとは、例えば、所定の許容範囲内で、目標値に最も近い組合せである。そして、最適組合せに選ばれたホッパの中に、上下に対応する計量ホッパＷＨとブースタホッパＢＨが選ばれているときは、上下の計量ホッパＷＨとブースタホッパＢＨのゲートを同時に開閉させて、計量ホッパＷＨに収納された物品を、ブースタホッパＢＨを通過させて集合シュートＣＳへ排出する。それ以外のときは、ブースタホッパＢＨのゲートを開閉させて、最適組合せに選ばれた物品を排出する。
【００２５】
集合シュートＣＳは、下向き傾斜のシュートユニットＣＵを各ブースタホッパＢＨに対応させて半円状に並べたもので、この集合シュートで収集された物品は、例えば、包装装置等に投入される。また、本体部分Ｆのケーシング内には、分散フィーダＤＦや放射フィーダＲＦを振動させる電磁バイブレータと、各ホッパＰＨ，ＷＨ、ＢＨのゲートを開閉する駆動機構が収納されている。さらに、本体部分Ｆから露出させて取り付けられたブラケットに、各ホッパＰＨ，ＷＨ、ＢＨが着脱可能に装着されるようになっている。また、本体部分Ｆは、複数本の支持脚Ｌを介して架台Ｓに支持され、集合シュートＣＳは、この複数本の支持脚Ｌに着脱可能に取り付けられている。
【００２６】
図２は、振動コンベヤＶＣの詳細な側面図であり、図３は、その振動コンベヤＶＣの上方に振分ホッパＨを配置した側面図である。なお、図３の振分ホッパＨは、手前側のパネル１４を切除した断面図として示している。
【００２７】
図２、図３において、振動コンベヤＶＣは、物品を搬送するステンレス製の振動トラフ１と、該振動トラフ１が着脱可能に取り付けられる可動ブロック２と、該可動ブロック２を搖動可能に支持する前後一対の板バネ３と、該板バネ３の固定端部が取り付けられるカウンターウエイト４と、前記板バネ３に抗して前記振動トラフ１を吸引離反させる電磁石５とを備えたものを、二組、面対称に配置したものである。したがって、左右の振動トラフ１は、背中合わせに配置され、背中合わせに向き合う両側壁６の間には、遮蔽壁３０が設けられている。
【００２８】
遮蔽壁としては、例えば、ステンレス製の分厚いボードが好ましいが、これに限定されるものではなく、ブチル系の合成ゴムであっても良い。これらの遮蔽壁は、図示しないフレームを介して図１のカバー１０上に固定されている。
【００２９】
振動トラフ１は、船底形の搬送面７（図１参照）を備えたもので、その搬送面７の先端部は、中央が飛び出ており、その底面には、補強フレーム８が取り付けられている。また補強フレーム８は、振動コンベヤＶＣの可動ブロック２に着脱機構９を介して取り付けられている。この着脱機構９は、補強フレーム８側の円形フランジと、可動ブロック２側の円形フランジとを重ねあわせたところに、リング状の締め付けバンドをフランジに装着して締め付けることにより、補強フレーム８と可動ブロック２とを着脱可能に連結するようにしたものである。具体的には、特許第３４８５６３０号公報に開示された技術を使用している。
【００３０】
可動ブロック２の下端部には、磁性体からなる可動コア２１が取り付けられ、この可動コア２１と所定のギャップを介して対向配置された電磁石５が可動コア２１を吸引離反することにより、振動トラフ１を水平面に対し所定角度で振動させるようになっている。これにより、振動トラフ１上の物品は、搬送面７をジャンプしながら先端部へと搬送されていく。そして、先端部から排出された物品は、分散テーブルＤＴの中央付近に落下するように、振動トラフ１の長さが決められている。
【００３１】
カウンターウエイト４は、防振スプリングＲを介して図示しないベース部に固定され、そのベース部が図示しない荷重センサに支持されている。この荷重センサは、そこに負荷された全質量を計量値として出力する。そして、荷重センサの出力からベース部と振動コンベヤＶＣとの合計質量を減算した値が、振動トラフ１の投入量となるので、その投入量が下限値を下回ると、振分ホッパＨのゲートが開放されて振動トラフ１に新たな物品が供給される。また、投入量が上限値を上回ると、振分ホッパＨのゲートが閉じて、振動トラフ１への物品供給が停止されるようになっている。
【００３２】
なお、図２、図３では、振動コンベヤＶＣの駆動部分を露出させているが、この部分は図１に示すように、防水カバー１０で覆われている。そのため、防水カバー１０の上端部には、可動ブロック２を露出させるための貫通孔が形成され、その貫通孔にゴム製のベローズ１１が被せられて、防水カバー１０内が水密裡に封止されるようになっている。
【００３３】
図３の振分ホッパＨは、二つの振動トラフ１の上方において、それぞれの振動トラフ１に向けて個別に開閉する一対の開閉ゲート１２と、この一対の開閉ゲート１２の先端部が合わさる直下に、側壁６間に跨って配置されて、上方から落下する物品を各振動トラフ１に振り分ける振分板１３とを備えている。この一対の開閉ゲート１２の両側面には、物品を漏出させない隙間をおいて、パネル１４が配置され、両パネル１４間に振分板１３の両端部が取り付けられている。
【００３４】
この振分ホッパＨを、振動する振動トラフ１から分離させるために、図３では、パネル１４を振動トラフ１の上方に浮かせているが、これに代えて、パネル１４の下端部を下方に伸ばして振動トラフ１の内側に配置しても良い。そうすれば、振動トラフ１の上縁からの物品の漏出を防止することができる。
【００３５】
各開閉ゲート１２は、リンク機構１５を介して振動トラフ１の搬送方向に開閉するようになっている。リンク機構１５は、具体的には、開閉ゲート１２の回動軸１６を跳ね上げる第一レバー１７と、傾斜姿勢の開閉ゲート１２を引き寄せて鉛直方向に起こす第二レバー１８と、第二レバー１８の回転運動を第一レバー１７に伝達する連結棒１９とを備えたもので、この第一レバー１７の回転軸２０には、図示しない回転機構が取り付けられている。この回転機構は、例えば、回転軸２０に連結されたレバーの搖動端に、伸縮するエアーシリンダを取り付けてレバーを搖動させるようにしたものである。そして、エアーシリンダの伸縮によってレバーが搖動すると、それに伴って回転軸２０が回転し、それに連動して各レバー１７、１８が実線で示す位置から二点鎖線で示す位置に移動するようになっている。こうして、各開閉ゲート１２は、独自に開閉するようになっている。
【００３６】
なお、左右の開閉ゲート１２とリンク機構１５は、それぞれ勝手反対に取り付けられている。また、振分ホッパＨの上方には、クロスフィーダの先端部が臨まされ、両方の振動トラフ１に物品を供給するときは、クロスフィーダを駆動し、左右の開閉ゲート１２を開放する。すると、クロスフィーダで搬送されてきた物品は、開放された左右の開閉ゲート１２の間を通って、左右の振動トラフ１に供給される。
【００３７】
その際、各振動トラフ１の下部に設けられた荷重センサが、投入量に応じた計量値を出力する。図示しない制御部は、逐次変化する投入量が上限値に到達すると、上限値に達した側の開閉ゲート１２を閉じ、達していない側の開閉ゲート１２を開放させておく。その際、閉じた側の開閉ゲート１２の先端部は、図３に示すように、振分板１３の直上に移動するから、クロスフィーダから落下してくる物品は、閉じた開閉ゲート１２の斜面を滑落して他方の振動トラフ１に供給される。こうして、他方の振動トラフ１の投入量も上限値に達すると、達した側の開閉ゲート１２も閉じ、クロスフィーダも停止する。なお、両方の開閉ゲート１２が閉じた状態では、各開閉ゲート１２の先端部が、振分板１３の直上で合わさった状態となる。
【００３８】
以上、本考案の一実施形態を説明したが、本考案は、これに限定されるものではなく、その他の構成も採用可能である。例えば、電磁バイブレータに代えてエアーバイブレータや回転式バイブレータを用いても良い。
【符号の説明】
【００３９】
ＶＣ    振動コンベヤ
１      振動トラフ
２      可動ブロック
３      前後一対の板バネ
４      カウンターウエイト
５      電磁石
６      側壁
１２      開閉ゲート
１３      振分板
３０      遮蔽壁
Ｈ      振分ホッパ
ＤＵ      分散部
ＷＵ      計量部
ＣＳ      集合シュート  
Ｗ      組合せ計量装置
【図１】
0003209972.tif 000003
【図２】
0003209972.tif 000004
【図３】
0003209972.tif 000005
【手続補正書】
【提出日】平成29年2月15日(2017.2.15)
【手続補正１】
【補正対象書類名】実用新案登録請求の範囲
【補正対象項目名】請求項３
【補正方法】変更
【補正の内容】
【請求項３】
前記二つの振動トラフの上方において、各振動トラフに向けて個別に開閉する一対の開
閉ゲートと、前記一対の開閉ゲートの先端部が閉じる直下に、前記側壁間に跨って、上方
から落下する物品を前記二つの振動トラフに振り分ける振分板とを備えた振分ホッパが前
記各振動トラフと非接触に配置されている請求項１又は２に記載の振動コンベヤ。